(57)【要約】【課題】島構造物に遊技機を設置する際に既に配線されたハーネスが遊技機の筐体から脱落等しないようにして作業性を向上させるとともに、表示窓の隙間から表示器の表示状態を盗み見てゲームを有利に運ぶ等の不正な行為を防止する等の遊技機用の基板取付装置を提供する。【解決手段】外部集中端子板（２５）を遊技機内に取り付ける基板取付装置（１００）であって、当該基板を装着する装着部（１０１）と、外部機器と通信を行うためのハーネス（ＣＢＬ）を保持し得る仮止め部が形成され当該基板に対向配置される幕板部（１０２）とを備える。ハーネスを仮止め保持して、筐体からの脱落を防止する。【選択図】図４
2008221019.tif 000002
【特許請求の範囲】
【請求項１】
外部機器に信号接続するためのコネクタ及び表示器を前側面に実装した外部端子基板に対しその後側面を装着して遊技機内に取り付ける、遊技機用の基板取付装置において、
前記外部端子基板の前側面に、前記表示器を遮蔽するように、板状の幕板部を対向配置するとともに、前記コネクタに接続するハーネスを仮止めする仮止め部を当該幕板部に形成したことを特徴とする基板取付装置。
【発明の詳細な説明】
【技術分野】
【０００１】
本発明は、パチンコ機またはスロットマシン等の遊技機に設けられ、当該遊技機とホールコンピュータ等の外部機器とを通信可能に接続するための外部端子基板を筐体内に取り付ける、遊技機用の基板取付装置に関する。
【背景技術】
【０００２】
従来、パチンコホール等の遊技店舗に多数設置されているパチンコ機やスロットマシン等の遊技機においては、ゲームの進行、入賞に係る役物の内部抽選並びにメダルの受け付け及び払い出しに関する管理処理など遊技機の全体動作を制御するメイン制御基板や、主として演出に関する制御を担当するサブ制御基板等の制御基板が設けられている。また、当該遊技店舗のホールコンピュータとこれら制御基板が通信可能に接続するための外部端子基板が筐体内の所定位置に固定されている。
【０００３】
かかる外部端子基板は、遊技機がホールコンピュータ等の外部機器と通信するための中継基板として機能し、例えば、遊技機に投入されたメダル枚数及び遊技者に払い出された枚数等のデータ情報を上記メイン制御基板がホールコンピュータに送信することで、店舗内の売上げや各遊技機における勝敗等の稼働状況をホールコンピュータが集中管理できるようにしている。
【発明の開示】
【発明が解決しようとする課題】
【０００４】
ところで、店舗内の遊技スペースに構築されている島構造物に遊技機を設置する際には、通常、島構造物内に配線された通信ケーブルからそれぞれの台に分岐する通信用のハーネスを遊技機の筐体背板の挿通孔を介して予め内部に挿通しておき、筐体を島構造物の収容スペースに装入し釘打ち固定した後に当該通信用ハーネスを上記外部端子基板にコネクタ接続している。
【０００５】
しかし、従来の遊技機にあっては、筐体を島構造物に装入する作業中に誤って通信ハーネスが筐体の挿通孔から抜け落ちる場合があり、設置作業をやり直さなければならない等、作業性において難点があった。
また、スロットマシンでは、一般に、前扉の上パネル部の中央に、略長方形の透明な表示窓が形成されており、筐体内に設けられている３個の円筒状のリールが表示窓を透して目視されるように構成されている。一方、筐体の上部右側内壁には、当該遊技店舗に設置されている遊技機の稼動状態を集中管理するコンピュータであるホールコンピュータに対し、スロットマシンの全体動作を統括制御するメイン制御基板が通信可能に接続するための中継基板として機能する外部集中端子板が固定されている。この外部集中端子板の前面には、ホールコンピュータに接続するためのコネクタと、チャネル毎に信号の出力状態を表示する表示器とが実装されている。
しかし、従来では、外部集中端子板の前面側、特に、表示器の前面側には何らの遮蔽部材も設けられていないため、上述した表示器の表示状態は、スロットマシンの表示窓の隙間から覗き見ることが可能であった。したがって、従来では、上述した表示器の表示状態を盗み見てゲームを有利に運ぶ等の不正な行為を防止できないという難点があった。
【０００６】
本発明は、こうした従来の問題に鑑みてなされたものであり、島構造物に遊技機を設置する際に既に配線されたハーネスが遊技機の筐体から脱落等しないようにして作業性を向上させるとともに、表示窓の隙間から表示器の表示状態を盗み見てゲームを有利に運ぶ等の不正な行為を防止する等の遊技機用の基板取付装置を提供することを目的としている。
【課題を解決するための手段】
【０００７】
上述した課題を解決するため、請求項１に記載の発明は、外部機器に信号接続するためのコネクタ及び表示器を前側面に実装した外部端子基板に対しその後側面を装着して遊技機内に取り付ける、遊技機用の基板取付装置において、前記外部端子基板の前側面に、前記表示器を遮蔽するように、板状の幕板部を対向配置するとともに、前記コネクタに接続するハーネスを仮止めする仮止め部を当該幕板部に形成したことを特徴とする。
【０００８】
請求項１に記載の基板取付装置によれば、外部機器との信号接続するためのコネクタ及び表示器を実装する外部端子基板に対し、ハーネスを保持可能な仮止め部を有する幕板部が表示器を遮蔽するように対向配置される。コネクタに接続されるハーネスを幕板部に形成した仮止め部に保持することにより、例えば遊技店舗の島構造物に遊技機を設置する際に、外部に引き出されたハーネスが筐体から脱落等することがなくなる。また、接続が予定されるコネクタの近い位置にハーネスを保持するので、遊技機の組み付け・設置等作業を容易にする。さらに、表示器が幕板部により遮蔽されているので、表示窓の隙間から表示器の表示状態を盗み見ることはできない。
【発明の効果】
【０００９】
このように、本発明に係る基板取付装置によれば、前側面に表示器が実装された外部端子基板の前側面に、表示器を遮蔽するように対向配置された幕板部にハーネスを仮止めできるようにした。これにより、例えば島構造物に遊技機を設置する際に既に配線されたハーネスが筐体から脱落することがなくなり、また接続が予定されるコネクタの近い位置にハーネスを保持することができるので、遊技機の組み付け・設置等の作業を容易に行うことができる。さらに、表示器が幕板部により遮蔽されているので、表示窓の隙間から表示器の表示状態を盗み見てゲームを有利に運ぶ等の不正な行為を防止することができる。
【発明を実施するための最良の形態】
【００１０】
以下、本発明に係る基板取付装置の好適な実施形態をスロットマシン等の遊技機に搭載される実施例に基づいて説明する。まず、基板取付装置が搭載される遊技機の代表例であるスロットマシン１について図１に示される斜視図を参照しながら概要を説明する。
【００１１】
スロットマシン１は、遊技者側に面しいわゆるフロントマスクを構成する前扉３が略矩形状の箱体である筐体２の開口側に対し図示しない蝶番機構により開閉可能に取り付けられている。前扉３は、上パネル部と下パネル部に概ね分けられ、これらは化粧板として視覚効果を高めてデザインされた硬質プラスチックにより一体的に形成されている。また、前扉３の下部には、メダルを貯留するための受皿部を形成する受皿ユニット４が設けられている。
【００１２】
前扉３の上パネル部には、高輝度発光ダイオードを内蔵した上部ランプ５及びサイドランプ６ａ、６ｂが配置され、リーチや大当たり等の際に点灯または点滅して遊技者の視覚に訴える演出を行っている。また、上パネル部には、スピーカを内蔵した左右の演出用放音部７ａ、７ｂが設けられ、ゲームの進行に応じて選択される効果音や楽音等による演出を行っている。更に、演出用放音部７ａ、７ｂの間には、液晶表示ユニット８が配置されている。液晶表示ユニット８は、ゲームの進行に応じて選択された動画像を表示して、当該ゲームにストーリー性を与えたり、また、遊技者に内部当選結果を暗示して期待感を惹起させたりする等の演出を行っている。
【００１３】
上パネル部の中央には、略長方形の透明な表示窓９ａが形成された中パネルユニット９が前扉３の背面側から取り付けられている。そして、筐体２内に設けられている３個の円筒状のリール１０ａ、１０ｂ、１０ｃが表示窓９ａを透して目視されるように構成されている。
【００１４】
すなわち、各リール１０ａ、１０ｂ、１０ｃは、それぞれの回転軸に沿って横方向に配置されてリールユニット１０を構成し、また、各リール１０ａ、１０ｂ、１０ｃの外周面には、複数の異なる種類を含む例えば２１個の識別図柄がほぼ等間隔で配列されている。そして、表示窓９ａ側に臨む縦３個、横３列の図柄が当該表示窓９ａを透して遊技者側から目視されるように構成されている。
【００１５】
前扉３の中段には、ゲームに使用するメダルを投入するための投入口を有するメダル投入部１１と、ゲームの操作を指示するためのベットボタン１２、スタートレバー１３、及び３個のストップボタン１４ａ、１４ｂ、１４ｃがそれぞれ配設されている。
【００１６】
ベットボタン１２は、スロットマシン１の当該ゲームに賭けるメダルの枚数を提示するための押圧式の操作スイッチである。スタートレバー１３は、リール１０ａ、１０ｂ、１０ｃを一斉に回転させる指示をするためのレバースイッチであり、先端に球形の操作ノブを有するレバーを上下左右の何れかの方向に傾倒操作するとオン作動し、レバーから手が離されるとスプリングの付勢力によって自動的に元の位置に戻ってオフするように構成されている。
【００１７】
ストップボタン１４ａ、１４ｂ、１４ｃは、各リール１０ａ、１０ｂ、１０ｃの回転停止を個別に指示するための押圧式スイッチであり、各リールの配列に対応してそれぞれ並設されている。
【００１８】
前扉３に形成された下パネル部には、スロットマシン１のモデルタイプ等を遊技者へ認識させるため、例えば登場キャラクターの絵などを表示するパネル１５が設けられている。
【００１９】
受皿ユニット４には、入賞時等においてメダルを排出するメダル排出口１６と、スピーカを内蔵しゲームの進行に応じて演出効果音を発生させる演出用放音部１７がそれぞれ配設されている。
【００２０】
次に、図２を参照して、スロットマシン１の内部構造を説明する。まず、筐体２内部において、その上部位置には、スロットマシン１の全体動作を統括制御するメイン制御基板２１が取り付けられている。なお、メイン制御基板２１は、ＣＰＵ、ＲＯＭ、ＲＡＭ、その他周辺機器と通信する際の整合機能を有するインタフェース回路等の電子部品を実装する制御回路基板であり、透明な基板ケースに収容されて筐体２内に離脱不能に固定されている。
【００２１】
筐体２内のほぼ中央には、３個のリール１０ａ、１０ｂ、１０ｃを軸方向に並設してユニット化したリールユニット１０が、前扉３側に形成される上述の表示窓９ａに対向する位置に設置されている。また、各リール１０ａ、１０ｂ、１０ｃは、それぞれのハブ部に嵌合するステッピングモータによって回転駆動される。
【００２２】
リールユニット１０の下方には、メダル投入部１１から投入されたメダルを貯留し入賞配当の際にメダル払出口２２ａからメダルを払い出すホッパーユニット２２と、ホッパーユニット２２から溢れたメダルを収容するためのオーバーフロータンク２３と、スロットマシン１に内蔵される各機器へ所要の電力を配電する電源ユニット２４とが設置されている。
【００２３】
更に、筐体２の上部右側内壁には、当該遊技店舗に設置されている遊技機の稼動状態を集中管理するコンピュータであるホールコンピュータに対し、上述したメイン制御基板２１が通信可能に接続するための中継基板として機能する外部集中端子板２５と呼ばれる外部端子基板が、本発明に関わる基板取付装置１００を介して固定されている。なお、本実施形態のスロットマシン１においては、例えばメダルの投入及び払出枚数、並びにスロットマシン１が正常に動作しているか否か等の状態信号を当該外部集中端子板２５を介してホールコンピュータへ随時送信している。これにより、ホールコンピュータは、店舗内に設置される全ての遊技機について売上げやゲームの勝敗等の稼働状況を把握し管理することができるようになっている。
【００２４】
次に、前扉３側には、その上部の位置に上述の演出用放音部７ａ、７ｂに対向するスピーカ３１ａ、３１ｂが取り付けられている。また、スピーカ３１ａ、３１ｂの間に配置されている液晶表示ユニット８（図１参照）の裏面に、当該液晶表示ユニット、スピーカ３１ａ、３１ｂ等を制御駆動するサブ制御基板３２が取り付けられている。サブ制御基板３２は、液晶表示ユニット８による演出映像の表示制御、上部ランプ５及びサイドランプ６ａ、６ｂ等を使った照明制御、及び演出用放音部７ａ、７ｂ、１７を使った演出効果音制御など、ゲームの演出に係る制御を主に行うための制御回路基板である。
【００２５】
サブ制御基板３２の下方には、リール１０ａ、１０ｂ、１０ｃを透視させるための透明な表示窓９ａが形成された中パネルユニット９が取り付けられている。中パネルユニット９は、リール１０ａ、１０ｂ、１０ｃの外周面を照射して図柄を明るく表示させるための冷陰極蛍光管３３と、スタートレバー１３及びストップボタン１４ａ、１４ｂ、１４ｃ等の操作スイッチ類が設けられ、これらスイッチ信号を筐体２側のメイン制御基板２１へ中継する中央表示基板３４とを備え、これらがユニット化されて形成されている。
【００２６】
中パネルユニット９の下方には、メダルセレクタ３５が取り付けられている。メダルセレクタ３５は、前面のメダル投入部１１に投入されたメダルの適否を判別し振り分ける装置である。投入されたメダルがメダルセレクタ３５により適正と判定されると、メイン制御基板２１へメダル受付信号を送信する。メイン制御基板２１は、メダル受付信号を受信する毎にクレジットを加算することで内部的にメダルを貯留する。
【００２７】
メダルセレクタ３５の下方には、当該メダルセレクタによって選別され検出された適正メダルを筐体２側のホッパーユニット２２へ案内するメダルガイド部３６と、メダルセレクタ３５により不適として排除され落下したメダル（または異物）を前面のメダル排出口１６へ案内するフローシュート３７と、ホッパーユニット２２のメダル払出口２２ａに当接し払い出されたメダルを前面のメダル排出口１６へ案内するメダル払出通路３８が設けられている。更に、メダル排出口１６に隣接して、上述した演出用放音部１７に対向するスピーカ３９が取り付けられている。
【００２８】
かかる構成のスロットマシン１は、先のゲームにおいて入賞しメダルの払い出しが完了した時、または先のゲームにおいてハズレが確定すると待機状態となる。この状態において、ベットボタン１２が押圧操作されると、内部に貯留したメダル（クレジット）から当該ゲームにメダルが賭けられゲームが開始する。
【００２９】
ゲーム開始の状態でスタートレバー１３が傾倒操作されると、メイン制御基板２１はリール１０ａ、１０ｂ、１０ｃを一斉に回転させ始める。同時に入賞役を内部的な処理で抽選し、その結果をフラグ（メモリ）に記憶する。
【００３０】
次に、遊技者がストップボタン１４ａ、１４ｂ、１４ｃを任意の順番で押圧操作すると、メイン制御基板２１はそれに従い順次、対応するリールを停止させる。そして、メイン制御基板２１は全てのリール１０ａ、１０ｂ、１０ｃが停止したことを検知すると、各リールに表示された図柄の組合せが上述のフラグに記憶された入賞役に係る図柄の組合せと一致しているか否か判定する。これらが一致したときには当該入賞が確定し、その入賞役の種類に応じた配当数のメダルをクレジットに加算する。入賞の配当によりクレジットが上限を超える場合には、ホッパーユニット２２を作動して、超過分のメダルをメダル排出口１６より受皿ユニット４へ払い出している。
【００３１】
このように、スロットマシン１の遊技者は、リール１０ａ、１０ｂ、１０ｃを回転・停止させる遊技操作を行って、表示窓９ａに変動表示した図柄が有効ラインに揃わなければ賭けたメダルを失うが、予め定められた組合せで図柄が揃い入賞が成立すると賭けた枚数以上のメダルを獲得し得るので、技量と運とに任せてメダルを増やすという興趣を伴った勝敗ゲームを楽しむことができる。
【００３２】
次に、上述したスロットマシン１の筐体２内の所定位置に外部集中端子板２５を取り付ける本発明に関わる基板取付装置１００を説明する。ここで、図３（ａ）は、当該外部集中端子板２５を装着した基板取付装置１００の正面図、図３（ｂ）はその側面図である。
【００３３】
これらの図を参照し、外部集中端子板２５は、ホールコンピュータに接続するためのコネクタ２５ａと、電気的に絶縁した状態で光学的に信号を伝達するフォトカプラ２５ｂ、２５ｂ、…と、チャネル毎に信号の出力状態を表示するモニタＬＥＤ２５ｃ、２５ｃ、…等を前面側に実装している。
【００３４】
基板取付装置１００は、外部集中端子板２５の背面側を装着して筐体２の側板２ａにネジ止め固定される略平板状の装着部１０１と、外部集中端子板２５の前面に対向し上述のモニタＬＥＤ２５ｃ、２５ｃ、…を遮蔽するようにして形成される略平板状の幕板部１０２とを有してステンレス等からなる金属の板材より一体的に板金形成されている。
【００３５】
幕板部１０２には、筐体２の背板に形成されたハーネス挿通孔２６（図２参照）に向かう側に開口を有する導入溝部１０２ａと、当該導入溝部１０２ａに対して直角に折れる保持溝部１０２ｂとが連続して切り欠かれることにより、上記コネクタ２５ａに接続する通信用のハーネス（ＣＢＬ）を仮止め状態で保持し得る仮止め部が形成されている。
【００３６】
外部集中端子板２５は、当該外部集中端子板の外形寸法に適合してプラスチック成型された絶縁台１１０を介装して基板取付装置１００の装着部１０１に装着される。すなわち、絶縁台１１０は、装着部１０１を挟んで筐体２の側板２ａにネジ止め固定されるとともに、側部に形成した爪部１１１で外部集中端子板２５を嵌着している。
【００３７】
次に、基板取付装置１００の作用を図４の斜視図を参照しながら説明する。ここで、遊技店舗の遊技スペースに構築される島構造物にスロットマシン１を装入設置する際には、上記ホールコンピュータに接続する通信ケーブルから分岐した通信用のハーネスＣＢＬを、予め筐体２のハーネス挿通孔２６より内部に挿通させておくことが作業を効率的に進行させる上で望ましい。
【００３８】
本発明に関わる基板取付装置１００にあっては、図４に示すように、ハーネス挿通孔２６を通して筐体２内に挿入したハーネスＣＢＬを、導入溝部１０２ａに挿通させ保持溝部１０２ｂに絡めるようにして仮止めする。この仮止めした状態では、スロットマシン１の筐体２を島構造物に装入する作業中に誤ってハーネスＣＢＬが引っ張られたとしても、ハーネス挿通孔２６からハーネスＣＢＬが外部へ脱落することはなくなる。
【００３９】
また、ハーネスＣＢＬ側のコネクタＣＮＴが外部集中端子板２５のコネクタ２５ａに接続した状態で仮に当該ハーネスに外力が作用しても、仮止め部に保持されることにより、コネクタ２５ａにその外力が伝達されず影響を与えない。したがって、コネクタＣＮＴ、２５ａ同士が外れる等の不具合を引き起こすこともない。
【００４０】
なお、本発明に関わる基板取付装置１００の構造にあっては、外部集中端子板２５の前面側に対向して幕板部１０２が配置されている。このため、当該基板に実装される上述のモニタＬＥＤ２５ｃ等が視覚的に遮蔽され、例えばスロットマシン１の表示窓９ａの隙間からモニタＬＥＤ２５ｃの表示状態を盗み見てゲームを有利に運ぶ等の不正な行為を防止する作用効果も備えている。
【００４１】
以上説明した実施形態の基板取付装置１００によれば、外部集中端子板２５の前面に対向配置される仮止め部に通信用のハーネスＣＢＬを仮止め保持するので、例えば遊技店舗の島構造物にスロットマシン１を設置する作業中にハーネスＣＢＬが筐体２から脱落等することがなくなり、設置等の作業を容易または効率的にすることができる。
【００４２】
また、接続が予定されるコネクタ２５ａの近い位置にハーネスＣＢＬを保持するので、スロットマシン１の組み付け作業の際、容易に接続することができる。
【００４３】
また、筐体２の外部に引き出されたハーネスＣＢＬに外力が作用しても、コネクタＣＮＴ、２５ａが外れる等の不具合を引き起こすこともない。
【００４４】
また、外部集中端子板２５に実装されるモニタＬＥＤ２５ｃ等が幕板部１０２により視覚的に遮蔽されるので、モニタＬＥＤ２５ｃの表示状態を盗み見てスロットマシン１のゲームを有利に運ぶ等の不正行為を防止することもできる。
【図面の簡単な説明】
【００４５】
【図１】本発明が適用される遊技機の例であるスロットマシンの外観構造を表した斜視図である。
【図２】図１に示したスロットマシンの前扉を開いてその内部構造を表した正面図である。
【図３】本発明の一実施形態による、外部集中端子板を装着した基板取付装置の正面図と側面図である。
【図４】図３に示した基板取付装置の作用を説明するための斜視図である。
【符号の説明】
【００４６】
１…スロットマシン                  ２…筐体
３…前扉                            ４…受皿ユニット
５…上部ランプ                      ６ａ、６ｂ…サイドランプ
７ａ、７ｂ…演出用放音部            ８…液晶表示ユニット
９…中パネルユニット                ９ａ…表示窓
１０…リールユニット                １０ａ、１０ｂ、１０ｃ…リール
１１…メダル投入部                  １２…ベットボタン
１３…スタートレバー                １４ａ、１４ｂ、１４ｃ…ストップボタン
１５…パネル                        １６…メダル排出口
１７…演出用放音部                  ２１…メイン制御基板
２２…ホッパーユニット              ２２ａ…メダル払出口
２３…オーバーフロータンク          ２４…電源ユニット
２５…外部集中端子板                ２５ａ…コネクタ
２５ｂ…フォトリレー                ２５ｃ…モニタＬＥＤ
２６…ハーネス挿通孔
３１ａ、３１ｂ…スピーカ            ３２…サブ制御基板
３３…冷陰極蛍光管                  ３４…中央表示基板
３５…メダルセレクタ                ３６…メダルガイド部
３７…フローシュート                ３８…メダル払出通路
３９…スピーカ
１００…基板取付装置                １０１…装着部
１０２…幕板部                      １０２ａ…導入溝部
１０２ｂ…保持溝部                  １１０…絶縁台
１１１…爪部
【図１】
2008221019.tif 000003
【図２】
2008221019.tif 000004
【図３】
2008221019.tif 000005
【図４】
2008221019.tif 000006